(57)【要約】【課題】  回転盤のひと目盛（１日分）が細かくなりすぎず、使い勝手の良い、「１年１産」を目標とする繁殖農家の牛の繁殖管理に好適な繁殖管理回転盤を提供する。【解決手段】  繁殖管理回転盤１は、円板状の固定側部材２と、固定側部材２に対して同心状に回転可能に設けられた円板状の可動側部材３と、を備えている。固定側部材２には、その外周部に円周方向に沿って１４０個の領域に分割して形成された日付表示欄５が設けられている。日付表示欄５は、分娩日を示す“０”の数字と、それに続く分娩後１日を示す“１”から１年１産リミットの人工授精日ともなる分娩後８０日を示す“８０”までの数字とが時計方向に順に表示された第１の日付表示欄７と、第１の日付表示欄７に続けて設けられ、人工授精後１日を示す“１”から人工授精後５９日を示す“５９”までの数字が時計方向に順に表示された第２の日付表示欄８とからなっている。【選択図】  図１
0003186506.tif 000002
【実用新案登録請求の範囲】
【請求項１】
円板状の固定側部材と、
前記固定側部材の外周に沿って配置された円環板部分を少なくとも有し、前記固定側部材に対して同心状に回転可能に設けられた可動側部材と、
前記可動側部材の前記円環板部分に装着される、管理対象の母牛を識別するための識別部材と、を備え、
前記固定側部材には、その外周部に円周方向に沿って１４０個の領域に分割して形成された日付表示欄が設けられていると共に、前記日付表示欄よりも内側に位置して情報表示部が設けられており、
前記日付表示欄は、分娩日を示す“０”の数字と、それに続く分娩後１日を示す“１”から１年１産リミットの人工授精日ともなる分娩後８０日を示す“８０”までの数字とが時計方向に順に表示された第１の日付表示欄と、前記第１の日付表示欄に続けて設けられ、人工授精後１日を示す“１”から人工授精後５９日を示す“５９”までの数字が時計方向に順に表示された第２の日付表示欄とからなる、繁殖管理回転盤。
【請求項２】
前記第１の日付表示欄のうち、分娩後２０日を示す“２０”から分娩後４０日を示す“４０”までの数字領域が初回発情注意期間として特定され、その旨の情報が前記情報表示部に表示されている、請求項１に記載の繁殖管理回転盤。
【請求項３】
前記第２の日付表示欄のうち、人工授精後１９日を示す“１９”から人工授精後２３日を示す“２３”までの数字領域と、人工授精後４０日を示す“４０”から人工授精後４４日を示す“４４”までの数字領域とが発情注意期間として特定され、その旨の情報が前記情報表示部に表示されている、請求項１又は２に記載の繁殖管理回転盤。
【考案の詳細な説明】
【技術分野】
【０００１】
本考案は、家畜の繁殖管理に用いられる繁殖管理回転盤に関する。さらに詳細には、本考案は、「１年１産」を目標とする繁殖農家の牛の繁殖管理に好適な繁殖管理回転盤に関する。
【背景技術】
【０００２】
和牛繁殖農家において、分娩事故を無くすこと、及び、分娩後早期に発情を発見し、受胎させることは、経営を安定させるための大きな要因となる。しかし、近年、和牛繁殖農家での飼養頭数が増加し、このことにより、多くの農場では、牛の観察時間の減少による発情発見率や受胎率の低下という問題が起きている。
【０００３】
このため、従来、牛の繁殖管理に用いられる繁殖管理回転盤（ブリーディング・ボード）が考案され、実用に供されている（例えば、非特許文献１参照）。この繁殖管理回転盤は、電源も要らず、ソフトを立ち上げる時間やキー操作も不要で、眺めるだけで、この先１年間の見通しが一目で分かる、というものである。
【先行技術文献】
【非特許文献】
【０００４】
【非特許文献１】ブリーディング・ボード-VOYAGE to the DAIRY 「牧場へ行こう」-Yahoo！ブログ、［online］、［平成２５年７月９日検索］、インターネット〈URL:http://blogs.yahoo.co.jp/tama7432/21213920.html〉
【考案の概要】
【考案が解決しようとする課題】
【０００５】
しかし、非特許文献１に開示されている繁殖管理回転盤は、１年（３６５日）を通しての繁殖管理を行なうために考案されたものであるため、回転盤のひと目盛（１日分）が細かくなりすぎて、使い勝手が悪いという問題点がある。
【０００６】
ところで、和牛繁殖農家においては母牛に「１年１産」させることが目標となっているが、牛の妊娠期間が２８５日で、３６５日−２８５日＝８０日であるため、分娩後８０日以内に人工授精をし、次の子牛を妊娠させないと、「１年１産」の目標を達成することはできない。
【０００７】
そこで、本考案者は、かかる点に着目し、「分娩から妊娠が確定するまで」の期間に特化した繁殖管理回転盤の構成について鋭意研究を重ねた。その結果、本考案者は、回転盤のひと目盛（１日分）が細かくなりすぎず、使い勝手の良い、「１年１産」を目標とする繁殖農家の牛の繁殖管理に好適な繁殖管理回転盤の考案をするに至った。
【０００８】
本考案は、従来技術における前記課題を解決するためになされたものであり、回転盤のひと目盛（１日分）が細かくなりすぎず、使い勝手の良い、「１年１産」を目標とする繁殖農家の牛の繁殖管理に好適な繁殖管理回転盤を提供することを目的とする。
【課題を解決するための手段】
【０００９】
前記目的を達成するため、本考案に係る繁殖管理回転盤の構成は、
（１）円板状の固定側部材と、前記固定側部材の外周に沿って配置された円環板部分を少なくとも有し、前記固定側部材に対して同心状に回転可能に設けられた可動側部材と、前記可動側部材の前記円環板部分に装着される、管理対象の母牛を識別するための識別部材と、を備え、前記固定側部材には、その外周部に円周方向に沿って１４０個の領域に分割して形成された日付表示欄が設けられていると共に、前記日付表示欄よりも内側に位置して情報表示部が設けられており、前記日付表示欄は、分娩日を示す“０”の数字と、それに続く分娩後１日を示す“１”から１年１産リミットの人工授精日ともなる分娩後８０日を示す“８０”までの数字とが時計方向に順に表示された第１の日付表示欄と、前記第１の日付表示欄に続けて設けられ、人工授精後１日を示す“１”から人工授精後５９日を示す“５９”までの数字が時計方向に順に表示された第２の日付表示欄とからなることを特徴とする。
【００１０】
本考案の繁殖管理回転盤の上記（１）の構成によれば、「分娩から妊娠が確定するまで」の期間（最長で、分娩後８０日＋人工授精日から妊娠鑑定までに要する６０日＝１４０日）に特化したものとして構成されているため、回転盤のひと目盛（１日分）が細かくなりすぎず、使い勝手の良い繁殖管理回転盤を提供することができる。
【００１１】
上記（１）の構成を有する本考案の繁殖管理回転盤の使用方法の一例を示せば、以下の通りである。すなわち、管理対象の母牛が分娩したら、識別部材を、可動側部材の、分娩日を示す“０”の数字と対応する箇所に装着する。そして、前記可動側部材を、１日ひと目盛ずつ時計方向に回転させていく。そして、管理対象の母牛に発情の兆候が現れたら、前記識別部材を、前記可動側部材の、分娩後８０日を示す“８０”の数字と対応する箇所（発情日）に移動させる。次いで、発情開始から１２時間目頃に管理対象の母牛に対して人工授精を施す。人工授精を施したら、前記識別部材を、前記可動側部材の、分娩後８０日を示す“８０”の数字と対応する箇所（人工授精日）に移動させる。そして、前記可動側部材を、さらに１日ひと目盛ずつ時計方向に回転させていき、人工授精後５０〜６０日の間に管理対象の母牛の妊娠鑑定を行なう。管理対象の母牛の妊娠が確定したら、前記識別部材を前記可動側部材から外す。牛の妊娠期間である２８５日を経過し、管理対象の母牛が分娩したら、上記と同様の繁殖管理を繰り返す。以上により、「１年１産」の目標を確実に達成することができる。
【００１２】
従って、本考案の繁殖管理回転盤の上記（１）の構成によれば、回転盤のひと目盛（１日分）が細かくなりすぎず、使い勝手の良い、「１年１産」を目標とする繁殖農家の牛の繁殖管理に好適な繁殖管理回転盤を提供することができる。
【００１３】
本考案の繁殖管理回転盤の上記（１）の構成においては、以下の（２）〜（５）のような構成にすることが好ましい。
【００１４】
（２）前記可動側部材は、前記固定側部材よりも径の大きい円板状に形成されていると共に、前記固定側部材の中央で軸支されている。
【００１５】
（３）上記（２）の構成において、前記可動側部材は、前記固定側部材の前面側に配置され、前記固定側部材の少なくとも前記日付表示欄及び前記情報表示部と対応する部分が透明になっている。
【００１６】
（４）前記第１の日付表示欄のうち、分娩後２０日を示す“２０”から分娩後４０日を示す“４０”までの数字領域が初回発情注意期間として特定され、その旨の情報が前記情報表示部に表示されている。
【００１７】
上記（４）の好ましい構成によれば、分娩後の管理対象の母牛が初回発情注意期間にあることを見落とすことがないので、発情を迎えつつある管理対象の母牛を確実に隔離牛房に移動させることができる。
【００１８】
（５）前記第２の日付表示欄のうち、人工授精後１９日を示す“１９”から人工授精後２３日を示す“２３”までの数字領域と、人工授精後４０日を示す“４０”から人工授精後４４日を示す“４４”までの数字領域とが発情注意期間として特定され、その旨の情報が前記情報表示部に表示されている。
【００１９】
上記（５）の好ましい構成によれば、人工授精後の管理対象の母牛が発情注意期間にあることが分かり、人工授精後の管理対象の母牛が発情状態にあること（人工授精が成功しなかったこと）を見落とすことがないので、再び人工授精を施して、受胎率の低下を抑えることができる。また、人工授精後に発情を迎えつつある管理対象の母牛を確実に隔離牛房に移動させることもできる。
【考案の効果】
【００２０】
本考案によれば、回転盤のひと目盛（１日分）が細かくなりすぎず、使い勝手の良い、「１年１産」を目標とする繁殖農家の牛の繁殖管理に好適な繁殖管理回転盤を提供することができる。
【図面の簡単な説明】
【００２１】
【図１】図１は、本考案の一実施の形態における繁殖管理回転盤の構成を示す正面図である。
【図２】図２は、本考案の一実施の形態における繁殖管理回転盤の構成を示す背面図である。
【図３】図３は、本考案の一実施の形態における繁殖管理回転盤を斜め後から見た斜視図である。
【図４】図４は、本考案の一実施の形態における繁殖管理回転盤の外周部分の詳細を説明するために、便宜的に、分娩日から分娩後２０日までの構成（ａ）と、分娩後２０日から分娩後４０日までの構成（ｂ）と、を直線的に表わした模式図である。
【図５】図５は、本考案の一実施の形態における繁殖管理回転盤の外周部分の詳細を説明するために、便宜的に、分娩後４０日から分娩後６０日までの構成（ｃ）と、分娩後６０日から分娩後８０日（１年１産リミット、発情日、人工授精（ＡＩ）日）までの構成（ｄ）と、を直線的に表わした模式図である。
【図６】図６は、本考案の一実施の形態における繁殖管理回転盤の外周部分の詳細を説明するために、便宜的に、分娩後８０日（１年１産リミット、発情日、ＡＩ日）からＡＩ後２１日までの構成（ｅ）と、ＡＩ後２１日からＡＩ後４２日までの構成（ｆ）と、ＡＩ後４２日からＡＩ後６０日までの構成（ｇ）と、を直線的に表わした模式図である。
【図７】図７は、本考案の一実施の形態における繁殖管理回転盤の使用時に可動側部材に装着して用いられる、管理対象の母牛を識別するための識別部材を示す斜視図である。
【図８】図８は、本考案の一実施の形態における繁殖管理回転盤の可動側部材を回転させている状態を示す正面図である。
【図９】図９は、本考案の一実施の形態における繁殖管理回転盤の可動側部材を、図１の状態からひと目盛（１日分）だけ回転させた状態を示す正面図である。
【図１０】図１０は、本考案の一実施の形態における繁殖管理回転盤の、管理対象の母牛に発情が来た日の状態を示す正面図である。
【図１１】図１１は、本考案の一実施の形態における繁殖管理回転盤の、管理対象の母牛に人工授精を施した日の状態を示す正面図である。
【図１２】図１２は、本考案の一実施の形態における繁殖管理回転盤の、管理対象の母牛の妊娠が確定した日の状態を示す正面図である。
【図１３】図１３は、本考案の一実施の形態における繁殖管理回転盤の使用時に可動側部材に装着して用いられる、管理対象の母牛を識別するための識別部材の他の例を分解した状態を示す分解斜視図である。
【図１４】図１４は、本考案の一実施の形態における繁殖管理回転盤の使用時に可動側部材に装着して用いられる、管理対象の母牛を識別するための識別部材の他の例を組み立てた状態を示す斜視図である。
【考案を実施するための形態】
【００２２】
以下、好適な実施の形態を用いて本考案をさらに具体的に説明する。但し、下記の実施の形態は本考案を具現化した例に過ぎず、本考案はこれに限定されるものではない。
【００２３】
［繁殖管理回転盤の構成］
まず、本考案の一実施の形態における繁殖管理回転盤の構成について、図１〜図８を参照しながら説明する。
【００２４】
図１は、本考案の一実施の形態における繁殖管理回転盤の構成を示す正面図、図２は、当該繁殖管理回転盤の構成を示す背面図、図３は、当該繁殖管理回転盤を斜め後から見た斜視図、図４は、当該繁殖管理回転盤の外周部分の詳細を説明するために、便宜的に、分娩日から分娩後２０日までの構成（ａ）と、分娩後２０日から分娩後４０日までの構成（ｂ）と、を直線的に表わした模式図、図５は、当該繁殖管理回転盤の外周部分の詳細を説明するために、便宜的に、分娩後４０日から分娩後６０日までの構成（ｃ）と、分娩後６０日から分娩後８０日（１年１産リミット、発情日、人工授精（ＡＩ）日）までの構成（ｄ）と、を直線的に表わした模式図、図６は、当該繁殖管理回転盤の外周部分の詳細を説明するために、便宜的に、分娩後８０日（１年１産リミット、発情日、ＡＩ日）からＡＩ後２１日までの構成（ｅ）と、ＡＩ後２１日からＡＩ後４２日までの構成（ｆ）と、ＡＩ後４２日からＡＩ後６０日までの構成（ｇ）と、を直線的に表わした模式図、図７は、当該繁殖管理回転盤の使用時に可動側部材に装着して用いられる、管理対象の母牛を識別するための識別部材を示す斜視図、図８は、当該繁殖管理回転盤の可動側部材を回転させている状態を示す正面図である。
【００２５】
図１〜図３に示すように、本実施の形態の繁殖管理回転盤１は、円板状の固定側部材２と、固定側部材２に対して同心状に回転可能に設けられた円板状の可動側部材３と、を備えている。ここで、可動側部材３は、固定側部材２よりも大きい径を有し、固定側部材２の前面側に配置されて、固定側部材２の中央で軸支されている。尚、図１において、参照符号４は、可動側部材３を固定側部材２に軸支するための軸支部材を示している。また、固定側部材２の背面には、固定金具９が溶着されており、この固定金具９を介して繁殖管理回転盤１を壁等に固定することができるようにされている。
【００２６】
図１、図４〜図６に示すように、固定側部材２には、その外周部に日付表示欄５が設けられていると共に、日付表示欄５よりも内側に位置して情報表示部６が設けられている。ここで、日付表示欄５は、円周方向に沿って１４０個の領域に分割して形成されている。そして、日付表示欄５は、分娩日を示す“０”の数字と、それに続く分娩後１日を示す“１”から１年１産リミットの人工授精（artificial insemination （ＡＩ））日ともなる分娩後８０日を示す“８０”までの数字とが時計方向に順に表示された第１の日付表示欄７と、第１の日付表示欄７に続けて設けられ、ＡＩ後１日を示す“１”からＡＩ後５９日を示す“５９”までの数字が時計方向に順に表示された第２の日付表示欄８とからなっている。
【００２７】
図１、図４、図５に示すように、情報表示部６には、分娩日を示す“０”の数字と対応する箇所に、数字“０”を「△（オレンジ色）」で指して「分娩日」と赤色文字で表示されている。そして、第１の日付表示欄７のうち、分娩日を示す“０”の数字領域はピンク色に着色されている。尚、本実施の形態の繁殖管理回転盤１において、「分娩日」は、ＡＩ後６０日ともなっている。そのため、情報表示部６の対応する箇所に「ＡＩ後６０日」と表示されている。また、情報表示部６には、分娩後２０日を示す“２０”の数字と対応する箇所に、数字“２０”を「△（白色）」で指して「分娩後２０日」と表示されている。さらに、情報表示部６には、分娩後４０日を示す“４０”の数字と対応する箇所に、数字“４０”を「△（白色）」で指して「分娩後４０日」と表示されている。そして、第１の日付表示欄７のうち、分娩後２０日を示す“２０”から分娩後４０日を示す“４０”までの数字領域はピンク色に着色され、情報表示部６の対応する箇所に「初回発情注意」と黒地に黄色文字で表示されている。すなわち、第１の日付表示欄７のうち、分娩後２０日を示す“２０”から分娩後４０日を示す“４０”までの数字領域が初回発情注意期間として特定され、その旨の情報が情報表示部６に表示されている。
【００２８】
また、情報表示部６には、分娩後６０日を示す“６０”の数字と対応する箇所に、数字“６０”を「△（白色）」で指して「分娩後６０日」と表示されている。また、第１の日付表示欄７のうち、分娩後８０日を示す“８０”の数字領域は赤色に着色され、情報表示部６の対応する箇所に、数字“８０”を「△（赤色）」で指して「分娩後８０日（１年１産リミット）」と表示されている。尚、本実施の形態の繁殖管理回転盤１において、「分娩後８０日」は、発情日、及び、ＡＩ日ともなっている。そのため、情報表示部６の対応する箇所に「発情日」、「ＡＩ日」と赤地に白色文字で表示されている。
【００２９】
図１、図６に示すように、第２の日付表示欄８のうち、ＡＩ後１９日を示す“１９”からＡＩ後２３日を示す“２３”までの数字領域と、ＡＩ後４０日を示す“４０”からＡＩ後４４日を示す“４４”までの数字領域とはピンク色に着色され、情報表示部６の対応する箇所に「発情注意」と黒地に黄色文字で表示されている。すなわち、第２の日付表示欄８のうち、ＡＩ後１９日を示す“１９”からＡＩ後２３日を示す“２３”までの数字領域と、ＡＩ後４０日を示す“４０”からＡＩ後４４日を示す“４４”
までの数字領域とが発情注意期間として特定され、その旨の情報が情報表示部６に表示されている。また、情報表示部６には、ＡＩ後２１日を示す“２１”の数字と対応する箇所に、数字“２１”を「△（黄色）」で指して「ＡＩ後２１日」と表示されている。さらに、情報表示部６には、ＡＩ後４２日を示す“４２”の数字と対応する箇所に、数字“４２”を「△（黄色）」で指して「ＡＩ後４２日」と表示されている。また、ＡＩ後５０日からＡＩ後６０日までの期間が妊娠鑑定の適期であるため、情報表示部６の対応する箇所に「妊娠鑑定」と表示されている。
【００３０】
図１、図４〜図６に示すように、可動側部材３には、その外周部に曜日表示欄１０が設けられている。また、可動側部材３は、固定側部材２の日付表示欄５及び情報表示部６と対応する部分が透明になっており、これにより、固定側部材２の日付表示欄５及び情報表示部６が視認できるようにされている。ここで、曜日表示欄１０は、日付表示欄５と同様に、円周方向に沿って１４０個の領域に分割して形成されている。そして、曜日表示欄１０の１４０個の領域には、“月”、“火”、“水”、“木”、“金”、“土”、“日”の文字が反時計方向にこの順番で繰り返し表示されている。尚、繁殖管理回転盤１の使用時には、可動側部材３を時計方向に回転させることとなるので（図８の矢印Ａ参照）、例えば、分娩日を示す“０”の数字に対応する曜日は、可動側部材３の回転に伴って、通常通り、“月”、“火”、“水”、“木”、“金”、“土”、“日”・・・と進んでいく。
【００３１】
図２、図３に示すように、可動側部材３の背面には、当該可動側部材３の最外周よりも少し内側に位置して低背円筒状の凸条１１が設けられている。そして、可動側部材３の外周部の背面側は、凸条１１を含めて磁性部材で形成されている。
【００３２】
図１、図２、図８に示すように、本実施の形態の繁殖管理回転盤１の使用時には、管理対象の母牛を識別するための識別部材１２が可動側部材３に装着して用いられる。
【００３３】
図７に示すように、識別部材１２は、一端が開口した直方体筒状の識別部材本体部１３と、識別部材本体部１３の他端に固着された円盤状のマグネット１４と、を備えている。これにより、図１、図２に示すように、マグネット１４を、可動側部材３の凸条１１の外周面に吸着させて、識別部材１２を可動側部材３に装着することができる。そして、図１に示すように、可動側部材３の、分娩日を示す“０”の数字と対応する箇所に、識別部材１２を装着し、図８に示すように、可動側部材３を矢印Ａの方向（時計方向）に１日ひと目盛ずつ回転させていくことにより、管理対象の母牛の分娩後の日数を把握することができる。また、例えば、繁殖管理回転盤１が図８の状態にあれば、分娩後の管理対象の母牛が初回発情注意期間にあることが分かり、分娩後の管理対象の母牛が初回発情注意期間にあることを見落とすことがないので、発情を迎えつつある管理対象の母牛を確実に隔離牛房に移動させることができる。また、可動側部材３の、分娩後８０日（ＡＩ日）を示す“８０”の数字と対応する箇所に、識別部材１２を装着し（図１１参照）、可動側部材３を時計方向に１日ひと目盛ずつ回転させていくことにより、管理対象の母牛のＡＩ後の日数を把握することもできる。また、ＡＩ後の管理対象の母牛が発情注意期間にあることも分かり、人工授精後の管理対象の母牛が発情状態にあること（人工授精が成功しなかったこと）を見落とすことがないので、再び人工授精を施して、受胎率の低下を抑えることができる。このように、本実施の形態の繁殖管理回転盤１を使用すれば、管理対象の母牛の現在の状態を一目で判別することができる。
【００３４】
識別部材１２の識別部材本体部１３の４つの側面は、それぞれ、ＡＩ対象の母牛であることを示す「赤色」、発情予定の母牛であることを示す「白色」、ＡＩ後妊娠鑑定待ちの母牛であることを示す「黄色」、妊娠確定（＋）の母牛であることを示す「緑色」に塗り分けられている。この構成の識別部材１２をどのように用いるかについては、後述する。
【００３５】
以上のように、本実施の形態の繁殖管理回転盤１は、「分娩から妊娠が確定するまで」の期間（最長で、分娩後８０日＋人工授精日から妊娠鑑定までに要する６０日＝１４０日）に特化したものとして構成されているため、回転盤のひと目盛（１日分）が細かくなりすぎず、使い勝手の良いものとなっている。
【００３６】
［繁殖管理回転盤の使用方法］
次に、本考案の一実施の形態における繁殖管理回転盤１の使用方法について、図９〜図１２をも参照しながら説明する。ここでは、説明を簡単にするために、管理対象の母牛が１頭である場合を例に挙げて説明する。
【００３７】
図９は、本考案の一実施の形態における繁殖管理回転盤の可動側部材を、図１の状態からひと目盛（１日分）だけ回転させた状態を示す正面図、図１０は、当該繁殖管理回転盤の、管理対象の母牛に発情が来た日の状態を示す正面図、図１１は、当該繁殖管理回転盤の、管理対象の母牛に人工授精を施した日の状態を示す正面図、図１２は、当該繁殖管理回転盤の、管理対象の母牛の妊娠が確定した日の状態を示す正面図である。
【００３８】
管理対象の母牛が分娩したら（その分娩日を「火曜日」とする）、図１に示すように、まず、可動側部材３を回転操作して、当該可動側部材３の曜日表示欄１０に表示された「火」の文字を、固定側部材２の分娩日を示す“０”の数字に合わせる。次いで、識別部材１２を、ＡＩ対象の母牛であることを示す「赤色」の面を正面に向けた状態で、可動側部材３の、前記分娩日を示す“０”の数字と対応する箇所に装着する。そして、可動側部材３を、１日ひと目盛ずつ時計方向に回転させていく（図８の矢印Ａ参照）。図９は、可動側部材３を図１の状態からひと目盛だけ回転させた状態を示している。
【００３９】
可動側部材３を、１日ひと目盛ずつ時計方向に回転させていき、図８に示すように、識別部材１２が「初回発情注意」の領域にきたら、管理対象の母牛を隔離牛房に移動させる。このように、本実施の形態の繁殖管理回転盤１を使用すれば、分娩後の管理対象の母牛が初回発情注意期間にあることが分かり、分娩後の管理対象の母牛が初回発情注意期間にあることを見落とすことがないので、発情を迎えつつある管理対象の母牛を確実に隔離牛房に移動させることができる。そして、管理対象の母牛に発情の兆候が現れたら、図１０に示すように、識別部材１２を、発情予定の母牛であることを示す「白色」の面を正面に向けた状態で、可動側部材３の、分娩後８０日を示す“８０”の数字と対応する箇所（発情日）に移動させる。次いで、発情開始から１２時間目頃に管理対象の母牛に対して人工授精（ＡＩ）を施す。人工授精（ＡＩ）を施したら、図１１に示すように、識別部材１２を、ＡＩ後妊娠鑑定待ちの母牛であることを示す「黄色」の面を正面に向けた状態で、可動側部材３の、分娩後８０日を示す“８０”の数字と対応する箇所（ＡＩ日）に移動させる。
【００４０】
可動側部材３を、さらに１日ひと目盛ずつ時計方向に回転させていき、ＡＩ後の識別部材１２（黄色）が「発情注意」の領域（ＡＩ後１９日を示す“１９”からＡＩ後２３日を示す“２３”までの数字領域と、ＡＩ後４０日を示す“４０”からＡＩ後４４日を示す“４４”までの数字領域）にきたら、管理対象の母牛を隔離牛房に移動させる。そして、このＡＩ後妊娠鑑定待ちの母牛に発情が来たら、再び人工授精を施す。このように、本実施の形態の繁殖管理回転盤１を使用すれば、ＡＩ後の管理対象の母牛が発情注意期間にあることも分かり、人工授精後の管理対象の母牛が発情状態にあること（人工授精が成功しなかったこと）を見落とすことがないので、再び人工授精を施して、受胎率の低下を抑えることができる。一方、ＡＩ後妊娠鑑定待ちの母牛に発情が来ず、ＡＩ後の識別部材１２（黄色）が「妊娠鑑定」の領域（ＡＩ後５０日を示す“５０”からＡＩ後６０日を示す“０”までの数字領域）にきたら、管理対象の母牛の妊娠鑑定を行なう。そして、管理対象の母牛の妊娠が確定したら、図１２に示すように、識別部材１２を、その位置で、妊娠確定（＋）の母牛であることを示す「緑色」の面を正面に向けた状態にする（又は、識別部材１２を可動側部材３から外す）。牛の妊娠期間である２８５日を経過し、管理対象の母牛が分娩したら、上記と同様の繁殖管理を繰り返す。以上により、「１年１産」の目標を確実に達成することができる。
【００４１】
以上説明した通り、本実施の形態の繁殖管理回転盤１の構成によれば、回転盤のひと目盛（１日分）が細かくなりすぎず、使い勝手の良い、「１年１産」を目標とする繁殖農家の牛の繁殖管理に好適な繁殖管理回転盤を提供することができる。
【００４２】
ここでは、説明を簡単にするために、管理対象の母牛が１頭である場合を例に挙げて説明したが、複数の母牛の繁殖管理を、１つの繁殖管理回転盤１を用いて行なう場合には、例えば、個々の母牛を識別するために異なる数字が付された複数の識別部材１２を用いればよい。
【００４３】
また、分娩日が同じ複数の母牛の繁殖管理を、１つの繁殖管理回転盤１を用いて行なう場合には、例えば、以下のような構成の識別部材を用いればよい。以下、この識別部材の構成について、図１３、図１４を参照しながら説明する。
【００４４】
図１３は、本考案の一実施の形態における繁殖管理回転盤の使用時に可動側部材に装着して用いられる、管理対象の母牛を識別するための識別部材の他の例を分解した状態を示す分解斜視図、図１４は、当該識別部材を組み立てた状態を示す斜視図である。
【００４５】
図１３に示すように、この識別部材１５は、略立方体状の基部１６と、基部１６の１つの面に立設された直方体状の棒体１７と、基部１６の前記１つの面と対向する面に固着された円盤状のマグネット１８と、両端が開口した直方体筒状の複数の識別部材本体部１９ａ、１９ｂ、１９ｃと、を備えている。棒体１７の１つの側面には、棒体１７と同じ長さの長方形状のマグネット２０が固着され、複数の識別部材本体部１９ａ、１９ｂ、１９ｃは磁性部材で形成されている。このため、図１３、図１４に示すように、複数の識別部材本体部１９ａ、１９ｂ、１９ｃを、棒体１７に順に挿通して当該棒体１７に固定することができる。ここで、各識別部材本体部１９ａ、１９ｂ、１９ｃの４つの側面は、それぞれ、ＡＩ対象の母牛であることを示す「赤色」、発情予定の母牛であることを示す「白色」、ＡＩ後妊娠鑑定待ちの母牛であることを示す「黄色」、妊娠確定（＋）の母牛であることを示す「緑色」に塗り分けられている。また、複数の識別部材本体部１９ａ、１９ｂ、１９ｃには、個々の母牛を識別するために異なる数字が付されている。
【００４６】
但し、通常、「発情日」や「ＡＩ日」は個々の母牛によって異なるため、特定の母牛の発情日以降においては、異なる数字が付された識別部材１２も併用される。
【００４７】
尚、上記実施の形態においては、円板状の可動側部材３を備える場合を例に挙げて説明したが、本考案は必ずしもこのような構成に限定されるものではない。可動側部材は、固定側部材２の外周に沿って配置された円環板部分を少なくとも有していればよい。可動側部材が、例えば、固定側部材２の外周に沿って配置された円環板部分のみから構成されている場合には、例えば、固定側部材２の外周部に可動側部材を回転可能に嵌め込むようにすればよい。
【００４８】
また、上記実施の形態においては、可動側部材３の外周部に曜日表示欄１０が設けられている場合を例に挙げて説明したが、曜日表示欄１０は本考案における必須の構成要素ではない。
【００４９】
また、上記実施の形態においては、４面４色に塗り分けられた識別部材１２、１５を備える場合を例に挙げて説明したが、本考案は必ずしもこのような構成に限定されるものではない。識別部材は、管理対象の母牛を識別することができるものであれば、いかなる構成のものであってもよい。
【産業上の利用可能性】
【００５０】
本考案によれば、回転盤のひと目盛（１日分）が細かくなりすぎず、使い勝手の良い、「１年１産」を目標とする繁殖農家の牛の繁殖管理に好適な繁殖管理回転盤を提供することができる。従って、本考案の繁殖管理回転盤は、飼養頭数が増加した和牛繁殖農家での牛の観察時間の減少による発情発見率や受胎率の低下を抑え、「１年１産」の目標を確実に達成するのに有用である。
【符号の説明】
【００５１】
１  繁殖管理回転盤
２  固定側部材
３  可動側部材
４  軸支部材
５  日付表示欄
６  情報表示部
７  第１の日付表示欄
８  第２の日付表示欄
９  固定金具
１０  曜日表示欄
１１  凸条
１２、１５  識別部材
１３、１９ａ、１９ｂ、１９ｃ  識別部材本体部
１４、１８、２０  マグネット
１６  基部
１７  棒体
【図１】
0003186506.tif 000003
【図２】
0003186506.tif 000004
【図３】
0003186506.tif 000005
【図４】
0003186506.tif 000006
【図５】
0003186506.tif 000007
【図６】
0003186506.tif 000008
【図７】
0003186506.tif 000009
【図８】
0003186506.tif 000010
【図９】
0003186506.tif 000011
【図１０】
0003186506.tif 000012
【図１１】
0003186506.tif 000013
【図１２】
0003186506.tif 000014
【図１３】
0003186506.tif 000015
【図１４】
0003186506.tif 000016